(57)【要約】【課題】  簡単な構造で折畳み操作を容易化、迅速化し、安価に提供できるだけではなく、折畳み時の大きさを小さくできるようにし、使い勝手の良いペット用収納ボックスを提供する。【解決手段】  折畳み式のペット用収納ボックスであって、上面を開口して平面視で矩形の箱形に形成する。対向する一方の側壁１を、夫々内方に縦向き状態で二つ折り自在に形成する。底壁３をシート状に形成すると共に、この底壁３の上面の中央部に、折畳み時に手指を引っ掛けて底壁３を持ち上げるための折畳み操作用のフック４を設ける。【選択図】      図１
2009195138.tif 000002
【特許請求の範囲】
【請求項１】
折畳み式のペット用収納ボックスであって、上面が開口されて平面視で矩形の箱形に形成され、対向する一方の側壁が夫々内方に縦向き状態で二つ折り自在に形成され、底壁がシート状に形成されると共に、この底壁の上面の中央部に、折畳み時に手指を引っ掛けて底壁を持ち上げるための折畳み操作用のフックが設けられていることを特徴とするペット用収納ボックス。
【請求項２】
請求項１記載のペット用収納ボックスであって、フックが、底壁に両端が固定されて扁平状に形成されていることを特徴とするペット用収納ボックス。
【請求項３】
請求項１又は２記載のペット用収納ボックスであって、底壁に敷くための底壁とほぼ同じ大きさのマットを備え、このマットが二つ折り自在に形成されていることを特徴とするペット用収納ボックス。
【請求項４】
請求項１乃至３の何れかに記載のペット用収納ボックスであって、周壁に、ペットの首輪に接続されているリードを通すための孔が開口されていることを特徴とするペット用収納ボックス。
【請求項５】
請求項１乃至４の何れかに記載のペット用収納ボックスであって、周壁の外面に、シートベルトを通すためのベルト通し部が設けられていることを特徴とするペット用収納ボックス。
【請求項６】
請求項５記載のペット用収納ボックスであって、ベルト通し部が、後壁の外面に、上下端が固定されて縦向き状に設けられていることを特徴とするペット用収納ボックス。
【発明の詳細な説明】
【技術分野】
【０００１】
本発明はペット用収納ボックスに関し、更に詳しくは例えば犬等のペットを一時的に収納するための折畳み式のペット用収納ボックスに関するものである。
【背景技術】
【０００２】
従来この種のボックスとしては、例えば特許文献１に記載されているものがある。この従来品は、直方体状に形成され、両側の側面壁に、ペット出入口を形作るコの字形の切り込み部が形成され、底面壁、天面壁、前面壁、後面壁が各壁の境の稜線部を介して扁平に折畳み可能に形成されている。
【０００３】
ところで、この種のボックスは、不使用時は折畳み、使用するときは組立て操作を伴なうものであるから、折畳みや組立て操作を、簡単な構造で容易に且つ迅速にできるよう形成されているのが望ましい。
しかるに特許文献１に記載の従来品の場合は、先ず側面壁の切り込み部のファスナーを開けてペット出入口の蓋体を内方に倒し、次に天面壁と前面壁の稜線位置を斜め下方に押圧し、両側の側面壁を押し潰すようにして、前面壁、後面壁、天面壁、底面壁を扁平状に折畳む構造であった。
従ってこの従来品によると、折畳み操作に手間暇がかかり、ワンタッチで折畳むことができない、という問題点があった。
またこの従来品は、各壁の境の稜線位置を利用して扁平化するため、折畳み時の面積が大きくなるのを避けられなかった。
従ってこれによると、例えば携帯や保管が不便になり、使い勝手が悪い、という問題点があった。
【特許文献１】特開２００５−３４８７０１号公報
【発明の開示】
【発明が解決しようとする課題】
【０００４】
本発明は、このような従来品の問題点に鑑み、提案されたものである。
従って本発明の解決しようとする技術的課題は、簡単な構造で折畳み操作を容易化、迅速化でき、安価に提供できるだけではなく、折畳み時の大きさを小さくできるようにして、使い勝手が良くなるよう形成したペット用収納ボックスを提供することにある。
【課題を解決するための手段】
【０００５】
本発明は、上記の課題を解決するため、次のような技術的手段を採る。
即ち本発明は、図１等に示されるように、折畳み式のペット用収納ボックスであって、上面が開口されて平面視で矩形の箱形に形成され、対向する一方の側壁１が夫々内方に縦向き状態で二つ折り自在に形成され、底壁３がシート状に形成されると共に、この底壁３の上面の中央部に、折畳み時に手指を引っ掛けて底壁３を持ち上げるための折畳み操作用のフック４が設けられていることを特徴とする（請求項１）。
【０００６】
本発明品は、通常、平面視で長方形や正方形に形成され、周壁は板状に、また底壁３は布や軟質樹脂の面状材等でシート状に形成される。周壁の一部は、通気性や視認性が良くなるよう、例えば網製のネット状部２ａを備えて形成されているのでも良い。なお、本発明品が、平面視で長方形の直方体に形成される場合は、短手方向の側壁１が、二つ折り自在に形成されるのが好ましい。なぜならこの場合は、側壁１の折曲げ境界部１ａが、折畳み時に干渉することを防止できるからである。
【０００７】
また本発明の場合、上記のフック４は、底壁３に両端が固定されて扁平状に形成されているのが好ましい（請求項２）。
なぜならこれによると、フック４が扁平状であるから、折畳み時の厚さを薄くでき、またペットの収納にも支障がないからである。フック４は、具体的には例えば帯状片や紐の両端を、底壁３に、例えば縫い付けることで実現される。なお、フック４の平面視の向きは、任意である。
【０００８】
また本発明は、底壁３に敷くための底壁３とほぼ同じ大きさのマット５（図３参照）を備え、このマット５が二つ折り自在に形成されているのが好ましい（請求項３）。
なぜならこれによると、ペットの重みで底壁３が撓むことを防止でき、移動時、携帯時にペットを安定した状態で収納できるからである。またこれによると、マット５を二つ折りすることで、折畳み時、保管時の大きさを小さくでき、携帯や保管が便利になるからである。
【０００９】
また本発明は、周壁に、ペットの首輪に接続されているリード７（図４参照）を通すための孔８が開口されているのが好ましい（請求項４）。
なぜならこれによると、孔８を介してリード７を外側に引き出し、この引き出したリード７に結び７ａ等を作ることでリード７を周壁の外面に係止させ、ペットの動きを規制することができるからである。ここで、周壁とは、前壁２、後壁６、対向する両側壁１を意味する。本発明の場合、孔８は、これらの何れかの壁に、通常、１個形成されるので良いが、例えば異なる壁に１個づつ形成されるのでも良く、その個数、形成位置、形状等は任意である。
【００１０】
また本発明は、図５に示されるように、周壁の外面に、シートベルト９を通すためのベルト通し部１０が設けられているのが好ましい（請求項５）。
なぜならこれによると、自動車等に乗る際、シートベルト９をベルト通し部１０に通して本発明品を座席１１に固定でき、ペットを安全に移動させることができるからである。なお、周壁の意味は、上記と同様である。
【００１１】
而してこの本発明の場合、ベルト通し部１０は、後壁６の外面に、上下端が固定されて縦向き状に設けられているのが好ましい（請求項６）。
なぜならこれによると、本発明品の正面（前側）を車の前方に向けて座席１１に固定でき、またベルト通し部１０が縦向きであるから、ベルト通し部１０にシートベルト９を通し易くなり、使い勝手が一層良くなるからである。
【発明の効果】
【００１２】
本発明は、このように形成されているから、使用者が底壁のフックに手指を引っ掛けて持ち上げると、対向する一方の側壁が内方に引かれて側壁が縦向き状態で二つ折りされ、前壁と後壁で側壁を挟んだ状態で折畳むことができるものである。
従って本発明は、折畳み構造が簡単であるから安価に提供できるだけではなく、ワンタッチで折畳むことができるから、これによれば折畳み操作を、簡単化、迅速化できる。
また本発明の場合は、折畳み時の大きさを、例えば前壁（後壁）の範囲に納めることができる。
従ってこれによれば、折畳み時の大きさを小さくでき、携帯や保管が便利になり、使い勝手が良くなるものである。
【発明を実施するための最良の形態】
【００１３】
以下、本発明を実施するための最良の形態を説明する。
本発明は、折畳み式のペット用収納ボックスであり、図１、図２等に示されるように、上面が開口されて平面視で、例えば長方形の箱形に形成される。この場合、大きさは、市販されている吸水性のペット用シートの大きさに合わせて形成されるのが良い。
【００１４】
そして、この実施形態の本発明品は、対向する一方の側壁１としての短手方向の側壁１が、夫々内方に縦向き状態で二つ折り自在に形成されている。１ａは、この側壁１の中央部に縦に形成されている折曲げ境界部である。なお、長手方向に沿った前壁２は、この実施形態では通気性や視認性が良くなるよう、ほぼ中央から上側が網製のネット状部２ａに形成されている。
【００１５】
３は、底壁である。この底壁３は、この実施形態では不織布でシート状に形成されている。またこの底壁３の上面の中央部に、折畳み時に手指を引っ掛けて底壁３を持ち上げるための折畳み操作用のフック４が、設けられている。このフック４は、この実施形態ではボックスの長手方向と直交する方向に沿って帯状片が横向き(水平)に配置され、この帯状片の両端が、底壁３に縫い付けられることにより、扁平状に形成されている。
【００１６】
また５（図３参照）は、底壁３に敷くための底壁３とほぼ同じ大きさのマットである。このマット５は、長手方向に沿って境界ライン５ａから二つ折り自在に形成されている。またこのマット５の上面と、両側壁１、前壁２、及び後壁６の各内面は、汚れを簡単に水拭きしていつも清潔に使用できるよう、ナイロン等の樹脂シートで形成されている。
【００１７】
またこの実施形態に係る本発明は、図４に示されるように、周壁としての後壁６に、ペット（図示せず）の首輪に接続されているリード７を通すための孔８が開口されている。この孔８は、後壁６の中央位置に、円形状に形成されている。８ａは、鳩目である。この実施形態の本発明品の場合は、同図に示されるように、孔８にリード７を通して後壁６の外側で孔８の径より大きな結び７ａを作って使用する。これにより、愛犬等のペットの動きを規制でき、例えばドライブの際に、運転者は安心して運転に集中できるものである。
【００１８】
また９（図５参照）はシートベルトであり、１０はこのシートベルト９を通すためのベルト通し部である。ベルト通し部１０は、この実施形態では周壁としての後壁６の外面に、孔８を介して左右一対状に設けられている。またこのベルト通し部１０は、この実施形態では帯状片の上下端が後壁６に縦向き状に縫い付けられることにより形成されている。なお、１１はシートベルト９を備えた座席であり、１２は背凭れである。
【００１９】
次にこの実施形態に係る本発明品の使用例を説明する。
本発明品の場合、ペットは開口状の上面から出し入れする。そして本発明品を使用した後、折畳んで片付ける場合は、先ず使用者は、図６に示されるように、マット５を取り出し、マット５を二つ折りする。
【００２０】
次に使用者は、図１、図７に示されるように、フック４に手指を引っ掛け、このフック４を引いて底壁３を持ち上げる。すると、底壁３が持ち上がるのに連れ、同図に示されるように、対向する一方の側壁１が夫々内方に引かれ、側壁１が二つ折りされて前壁２と後壁６の間に挟まり、全体が折畳まれる（図８参照）。
従って本発明品は、このようにフック４を引く、というワンタッチの操作で、簡単に且つ迅速に折畳むことができるものである。
【００２１】
なお、例えばショッピングやアウトドアなどで外出する際は、このようにして折畳んだ後、使用者は、二つ折りしたマット５と一緒に、図９に示されるように、取っ手１３ａ付きの専用の手提げ袋１３に本発明品を収納して使用するのが良い。
【００２２】
次に本発明品を組立てる場合について説明する。
使用者は、本発明品が袋１３に収納されている場合は、先ず袋１３から本発明品の本体とマット５を取り出す。次に使用者は、前壁２と後壁６を押し広げ、本体を箱形に形作る。そして、図３に示されるように、マット５を開いて開口状の上面からマット５を中に入れ、底壁３に敷く。
【００２３】
なお本発明品の場合、使用者は、例えば吸水性の樹脂材等でなる市販のペット用シートを、マット５に適宜敷いて使用するのが良い。この種のシートを敷くことで、尿の飛び散りを防止して排尿等を簡便に始末できるだけではなく、ペットにトイレのしつけを教習することが可能になるからである。
【００２４】
而して本発明品は、ペットが、例えば犬の場合は、図４に示されるように、使用者は首輪に接続されているリード７を、後壁６の孔８に通して外側に引き出し、次にこの引き出したリード７に結び７ａ等を作って後壁６の外面にリード７を係止させて使用するのが良い。この場合は、収納したペットの動きを規制でき、ペットが勝手に本発明品から飛び出して動き回ることを防止できるからである。
【００２５】
またこの実施形態に係る本発明品は、図５に示されるように、シートベルト９を通すためのベルト通し部１０を備えている。従って、例えば自動車等で外出する場合は、同図に示されるように、使用者はシートベルト９をベルト通し部１０に通し、運転中は本発明品を座席１１に固定して使用するのが良い。
【００２６】
以上の処において、本発明の場合、上記のフック４は、手指を引っ掛けて底壁３を引き上げることができるものであれば良く、従って本発明は上例のような構造に限定されるものではない。
また二つ折りされる側壁１は、折畳み時に折曲げ境界部１ａが接触して支障とならないよう、通常、本発明品が平面視で長方形の箱形の場合は、上例のように短手方向の側壁１であるのが好ましいが、これに限定されるものではない。
また本発明の場合、上例の孔８やベルト通し部１０の個数、形成位置、形状等は任意である。
【図面の簡単な説明】
【００２７】
【図１】本発明のボックスの好適な一実施形態を示す使用状態時の斜視図である。
【図２】同上ボックスを上から見た斜視図である。
【図３】同上ボックスの使用例を説明するための斜視図である。
【図４】同上ボックスを背面から見た斜視図である。
【図５】同上ボックスの使用例を説明するための斜視図である。
【図６】同上ボックスの使用例を説明するための斜視図である。
【図７】同上ボックスの使用例を説明するための斜視図である。
【図８】同上ボックスの折畳み時の斜視図である。
【図９】同上ボックスの使用例を説明するための斜視図である。
【符号の説明】
【００２８】
１      側壁
２      前壁
３      底壁
４      フック
５      マット
６      後壁
７      リード
８      孔
９      シートベルト
１０    ベルト通し部
１１    座席
１２    背凭れ
１３    手提げ袋
【図１】
2009195138.tif 000003
【図２】
2009195138.tif 000004
【図３】
2009195138.tif 000005
【図４】
2009195138.tif 000006
【図５】
2009195138.tif 000007
【図６】
2009195138.tif 000008
【図７】
2009195138.tif 000009
【図８】
2009195138.tif 000010
【図９】
2009195138.tif 000011